(57)【特許請求の範囲】
【請求項１】
一面を開口するとともに内部に照明器具を収納するケースと、後面が造営面に固定されるとともに前面に前記開口を塞ぐように前記ケースが固定される板状の取付台と、後面が前記取付台の前面に固定されるとともに前面に前記照明器具が着脱自在に支持される板状の器具用取付台と、前記取付台と前記器具用取付台との間に介在するとともに、前面が前記ケースの前記開口を覆うように取り付けられる板状の封止部材とを備え、前記封止部材には、厚み方向に貫通するとともに前記ケースの内部を前記封止部材の後面側に臨ませる通気孔が設けられ、前記取付台には、厚み方向に貫通するとともに前記照明器具に接続される電源線を前記ケース内部へと案内するための窓孔が設けられ、前記器具用取付台には、厚み方向に貫通するとともに前記封止部材の前記通気孔と対向する通気孔が設けられ、前記窓孔及び前記封止部材の前記通気孔及び前記器具用取付台の前記通気孔を介して前記ケース内部と外部との間に通気路を形成したことを特徴とする照明器具用の防水装置。
【請求項２】
前記封止部材の前記通気孔は、前記封止部材の後面から後向きに突出する筒体に設けられたことを特徴とする請求項１記載の照明器具用の防水装置。
【請求項３】
前記筒体の後端部には、その周方向に沿って１乃至複数の溝が設けられたことを特徴とする請求項２記載の照明器具用の防水装置。
【請求項４】
前記封止部材の前記通気孔及び前記器具用取付台の前記通気孔は、それぞれ複数設けられたことを特徴とする請求項１乃至３の何れか１項に記載の照明器具用の防水装置。
【発明の詳細な説明】
【技術分野】
【０００１】
本発明は、誘導灯などの照明器具に用いられる照明器具用の防水装置に関する。
【背景技術】
【０００２】
従来から、屋外などの雨水が掛かる虞のある場所には、誘導灯の内部に水が浸入するのを防止するために防水構造を備えた誘導灯が設置されている。このような防水構造を備えた誘導灯が、例えば特許文献１に開示されている。この誘導灯は、天井に固定される誘導灯本体と、この誘導体本体が収納される上方開口の透明ケースと、この透明ケースを天井に固定する取付台とを備える。誘導灯本体は、表示パネルに誘導表示を設けており、内部には表示パネルを内側から照射する光源と、この光源を停電時に点灯させる電池駆動の無停電電源回路とを内蔵している。取付台は、透明ケースの上端開口部を内側に入れる周壁を有している。また、透明ケースは、水平方向の外側に突出するフランジを有している。而して、透明ケースの上端開口部を取付台の周壁の内側に入れて、パッキンを介してフランジを取付台の周壁に当接させて透明ケースを取付台に連結することで、外部から透明ケース内部への雨水の浸入を防止している。
【先行技術文献】
【特許文献】
【０００３】
【特許文献１】特開２００５−１００６８６号公報
【発明の概要】
【発明が解決しようとする課題】
【０００４】
ところで、上記従来例のような誘導灯では、上述のように停電時に光源を点灯させるために電池駆動の無停電電源回路を内蔵している。この無停電電源回路に用いられる電池としては、二次電池であるニッケル・水素電池が一般的である。このニッケル・水素電池を用いる場合、特に電池の寿命末期において引火性を有する水素ガスが発生し、誘導灯の内部から透明ケースの内部へと放出される虞があった。したがって、この水素ガスを透明ケースの外部へ放出させる必要があったが、上記従来例のような誘導灯は、水素ガスを積極的に透明ケースの外部に放出させる構造を有していない。
【０００５】
本発明は、上記の点に鑑みて為されたもので、照明器具に内蔵された電池から放出される水素ガスをケースの外部に効率良く放出させることのできる照明器具用の防水装置を提供することを目的とする。
【課題を解決するための手段】
【０００６】
本発明の照明器具用の防水装置は、一面を開口するとともに内部に照明器具を収納するケースと、後面が造営面に固定されるとともに前面に前記開口を塞ぐように前記ケースが固定される板状の取付台と、後面が前記取付台の前面に固定されるとともに前面に前記照明器具が着脱自在に支持される板状の器具用取付台と、前記取付台と前記器具用取付台との間に介在するとともに、前面が前記ケースの前記開口を覆うように取り付けられる板状の封止部材とを備え、前記封止部材には、厚み方向に貫通するとともに前記ケースの内部を前記封止部材の後面側に臨ませる通気孔が設けられ、前記取付台には、厚み方向に貫通するとともに前記照明器具に接続される電源線を前記ケース内部へと案内するための窓孔が設けられ、前記器具用取付台には、厚み方向に貫通するとともに前記封止部材の前記通気孔と対向する通気孔が設けられ、前記窓孔及び前記封止部材の前記通気孔及び前記器具用取付台の前記通気孔を介して前記ケース内部と外部との間に通気路を形成したことを特徴とする。
【０００７】
この照明器具用の防水装置において、前記封止部材の前記通気孔は、前記封止部材の後面から後向きに突出する筒体に設けられることが好ましい。
【０００８】
この照明器具用の防水装置において、前記筒体の後端部には、その周方向に沿って１乃至複数の溝が設けられることが好ましい。
【０００９】
この照明器具用の防水装置において、前記封止部材の前記通気孔及び前記器具用取付台の前記通気孔は、それぞれ複数設けられることが好ましい。
【発明の効果】
【００１０】
本発明は、封止部材の通気孔と、電源線をケース内部へと案内するための取付台の窓孔とを介して通気路を形成することで、照明器具に内蔵された電池から放出される水素ガスをケースの外部に効率良く放出させることができる。
【図面の簡単な説明】
【００１１】
【図１】本発明に係る照明器具用の防水装置の実施形態を示す分解斜視図である。
【図２】同上のケースを示す図で、（ａ）は前面図で、（ｂ）は上面図である。
【図３】同上の取付台を示す図で、（ａ）は上面図で、（ｂ）は（ａ）のＡ−Ａ’線断面矢視図である。
【図４】同上の器具用取付台を示す図で、（ａ）は下面図で、（ｂ）は前面図である。
【図５】同上の封止部材を示す図で、（ａ）は上面図で、（ｂ）は（ａ）のＢ−Ｂ’線断面矢視図である。
【図６】同上の封止部材を示す図で、（ａ）は下面図で、（ｂ）は要部断面図である。
【図７】同上の全体斜視図である。
【図８】同上の取付台と封止部材との関係を説明するための図で、（ａ）は断面図で、（ｂ）は要部断面図である。
【発明を実施するための形態】
【００１２】
以下、本発明に係る照明器具用の防水装置の実施形態について図面を用いて説明する。尚、以下の説明では、図２（ａ）における上下左右を上下左右方向、紙面手前側を前方向、紙面奥側を後方向と定めるものとする。また、本実施形態では、特許請求の範囲における「後」が「上」に相当し、「前」が「下」に相当する。本実施形態は、図１に示すように、内部に照明器具１（図８（ａ）参照）を収納するケース２と、ケース２を造営面（図示せず）に固定するための取付台３と、照明器具１を着脱自在に支持する器具用取付台４と、ケース２の上面を覆う封止部材５とを備える。
【００１３】
照明器具１は、本実施形態では誘導灯であって、絵文字の誘導表示が設けられた表示パネル（図示せず）が正方形状の枠部の前後両面に固定されて成る。照明器具１は、表示パネルを内側から照射する蛍光灯等の光源（図示せず）と、通常時に光源に点灯電力を供給する電源回路（図示せず）と、停電時に光源に点灯電力を供給する電池駆動の無停電電源回路（図示せず）を内蔵している。尚、本実施形態では照明器具１として誘導灯を採用しているが、照明器具１は誘導灯に限定されるものではない。
【００１４】
ケース２は、例えばアクリル等の透光性を有する材料から形成され、図２（ａ），（ｂ）に示すように、上面を開口した四角錐台状の本体部２０と、本体部２０の開口の外周縁から外向きに突出する鍔状のフランジ２１とから構成される。本体部２０は、照明器具１を収納可能な寸法で形成されており、その下底部には円形状の水抜き穴２０Ａが厚み方向に貫通して設けられている。このため、仮に本体部２０の内側に水が溜まったとしても、水抜き穴２０Ａを介して溜まった水をケース２の外部に出すことができる。
【００１５】
フランジ２１の外周縁には、上向きに突出する外壁２２がフランジ２１の周方向に沿って一体に形成されている。また、フランジ２１の内周縁には、上向きに突出する内壁２３がフランジ２１の周方向に沿って一体に形成されている。そして、フランジ２１において外壁２２と内壁２３とで囲まれる部位は、ケース２の外部から浸入した水を受ける水受け部２４となっている。このため、仮にケース２の外部から水が浸入したとしても、浸入した水が水受け部２４に溜まるので、本体部２０側まで水が浸入するのを防ぐことができる。また、フランジ２１の左右両端部には、それぞれ円形状の水抜き穴２４Ａが厚み方向に貫通して２つずつ設けられている。このため、仮に水受け部２４に水が溜まったとしても、水抜き穴２４Ａを介して溜まった水をケース２の外部に出すことができる。また、フランジ２１の左右両端部には、それぞれ水抜き穴２４Ａの径寸法よりも大きい径寸法から成る円形状の水抜き穴２４Ｂが厚み方向に貫通して設けられている。この水抜き穴２４Ｂは、後述する取付台３の水抜き穴３０Ａ、及び後述する封止部材５の水抜き穴５０Ｃと対向するように設けられている。
【００１６】
尚、内壁２３のうち左右両壁は、何れもケース２の開口の内周縁との間に一定の間隔を空けて設けられている。したがって、内壁２３の左壁とケース２の開口の内周縁との間の部位、及び内壁２３の右壁とケース２の開口の内周縁との間の部位は、それぞれ後述する器具用取付台４の左端部及び右端部を載せることができる段部２５となっている。
【００１７】
フランジ２１の四隅には、それぞれ上向きに突出する円筒状のボス部２４Ｃが一体に形成されている。これらボス部２４Ｃには、取付ねじ（図示せず）を挿入するための円形状のねじ挿入孔２４Ｄがそれぞれ厚み方向に貫通して設けられている。また、各ねじ挿入孔２４Ｄは、後述する取付台３のねじ挿入孔３０Ｂ、及び後述する封止部材５のねじ挿入孔５０Ｄとそれぞれ対向するように設けられている。
【００１８】
ところで、本体部２０の左右両側面、及び前後両側面は、下に向かうにつれて互いに近付くように傾斜している。これは、ケース２の製造時において、本体部２０の金型から本体部２０を抜き取り易くするための抜き勾配を必要とするからである。また、フランジ２１の各ねじ挿通孔２４Ｄに取付ねじを挿入してドライバ等の工具で締め付ける際に、工具を持つ手の邪魔とならないスペースを確保する必要があるからである。
【００１９】
取付台３は、図３（ａ），（ｂ）に示すように、例えばＳＵＳ３０４から成るステンレス板等の金属板で形成された矩形板状の主片３０を備える。主片３０には、その外周縁を上向きに折り曲げて成る側片３１が取付台３の周方向に沿って設けられている。主片３０の中央部には、矩形状の台部３２が上方に向かって突出するように切り起こして設けられている。尚、台部３２の上下方向の寸法は、側片３１の上下方向の寸法よりも小さくなっており、台部３２が側片３１よりも上方に突出しないようになっている。また、台部３２の前後両側には、それぞれ台部３２の長手方向に沿って切り欠かれた長尺の通気孔３３が厚み方向に貫通して設けられている。
【００２０】
台部３２の中央部には、四隅が丸みを帯びた矩形状の第１の窓孔３２Ａが厚み方向に貫通して設けられている。この第１の窓孔３２Ａには、後述する封止部材５の電源線取付台５３及び電線取付台５４が挿入され、電源線取付台５３及び電線取付台５４が第１の窓孔３２Ａを介して上方に突出するようになっている。即ち、第１の窓孔３２Ａが、照明器具１に接続される電源線をケース２内部へと案内するための「窓孔」に相当する。この第１の窓孔３２Ａと、後述する器具用取付台４の通気孔４０Ｃと、後述する封止部材５の通気孔５５Ａとを介してケース２内部と外部との間に通気路を形成している。第１の窓孔３２Ａの周辺部には、前後方向に長尺な長円形状の第２の窓孔３２Ｂが１対と、左右方向に長尺な長円形状の第３の窓孔３２Ｃとが厚み方向に貫通して設けられている。
【００２１】
主片３０の左右両端部には、それぞれ円形状の水抜き穴３０Ａが厚み方向に貫通して設けられている。これら水抜き穴３０Ａは、前述のようにケース２の水抜き穴２４Ｂ、及び後述する封止部材５の水抜き穴５０Ｃとそれぞれ対向するように設けられている。このため、仮に主片３０の上面に水が溜まったとしても、これら水抜き穴３０Ａ，２４Ｂ，５０Ｃを介して溜まった水をケース２の外部に逃がすことができる。
【００２２】
主片３０の四隅には、それぞれ上向きに突出する円筒状のボス部３０Ｂが一体に形成されている。これらボス部３０Ｂには、取付ねじを挿入するための円形状のねじ挿入孔３０Ｃが厚み方向に貫通して設けられている。これらねじ挿入孔３０Ｃは、前述のようにケース２のねじ挿入孔２４Ｄ、及び後述する封止部材５のねじ挿入孔５０Ｄとそれぞれ対向するように設けられている。このため、これらねじ挿入孔３０Ｃ，２４Ｄ，５０Ｄと、造営面に設けられたねじ挿入孔（図示せず）とに取付ねじを挿入して締め付けることで、本実施形態を造営面に固定することができる。尚、本実施形態を造営面に固定する際には、取付台３の後面（本実施形態では、上面）が造営面に固定される。
【００２３】
主片３０の左右の水抜き穴３０Ａの隣には、それぞれ上方に突出する円錐台部３０Ｃが設けられている。これら円錐台部３０Ｃの上底部の中央部には、それぞれ円形状のねじ挿入孔３０Ｄが厚み方向に貫通して設けられている。各ねじ挿入孔３０Ｄは、後述する器具用取付台４のねじ挿入孔４０Ｂ、及び後述する封止部材５のねじ挿入孔５０Ａとそれぞれ対向するように設けられている。このため、各ねじ挿入孔３０Ｄ，４０Ｂ，５０Ａに組立ねじ６（図２参照）を挿入して締め付けることで、封止部材５を間に挟む形で取付台３と器具用取付台４とを互いに固定することができる。
【００２４】
器具用取付台４は、図４（ａ），（ｂ）に示すように、例えばＳＵＳ３０４から成るステンレス板等の金属板で形成された矩形板状の主片４０を備える。主片４０には、その外周縁を下向きに折り曲げて成る側片４１が主片４０の周方向に沿って設けられている。主片４０の中央部には、四隅が丸味を帯びた矩形状の窓孔４０Ａが厚み方向に貫通して設けられている。この窓孔４０Ａには、後述する封止部材５の電源線取付台５３及び電線取付台５４が挿入されるようになっている。
【００２５】
主片４０の左右両端部には、それぞれ円形状のねじ挿入孔４０Ｂが厚み方向に貫通して設けられている。各ねじ挿入孔４０Ｂは、前述のように取付台３のねじ挿入孔３０Ｄ、及び後述する封止部材５のねじ挿入孔５０Ａとそれぞれ対向するように設けられている。主片４０における窓孔４０Ａの左右両側には、それぞれ円形状の通気孔４０Ｃが厚み方向に貫通して設けられている。これら通気孔４０Ｃは、後述する封止部材５の通気孔５５Ａとそれぞれ対向するように設けられている。また、主片４０における各通気孔４０Ｃの近傍には、下向きに突出する器具用取付ねじ７がそれぞれ設けられている。これら器具用取付ねじ７は、器具用取付台４の下面に照明器具１を着脱自在に固定するためのものである（図１参照）。尚、このような器具用取付ねじ７は従来周知であるので、ここでは詳細な説明を省略する。
【００２６】
主片４０には、複数の円形状の突部挿入孔４０Ｄが厚み方向に貫通して設けられている。これら突部挿入孔４０Ｄは、主片４０の外周縁に沿って一定の間隔を空けて設けられるとともに、窓孔４０Ａの左右両側にも設けられている。これら突部挿入孔４０Ｄは、後述する封止部材５の第１の突部５０Ｅとそれぞれ対向するように設けられている。また、主片４０における各器具用取付ねじ７を挟んだ左右両側には、下向きに突出するように切り起こされた四分の一球状の切り起こし部４０Ｅがそれぞれ１対ずつ設けられている。これら切り起こし部４０Ｅは、後述する封止部材５の第２の突部５０Ｆとそれぞれ対向するように設けられている。また、主片４０の左右両端部には、上向きに突出する半球状の突部４０Ｆがそれぞれ１対ずつ設けられている。これら突部４０Ｆは、後述する封止部材５の凹部５０Ｇにそれぞれ対向するように設けられている。そして、突部挿入孔４０Ｄに第１の突部５０Ｅが、切り起こし部４０Ｅに第２の突部５０Ｆが、凹部５０Ｇに突部４０Ｆがそれぞれ嵌め合わされるようになっている。
【００２７】
封止部材５は、図５（ａ），（ｂ）に示すように、例えばゴム等の弾性を有する樹脂材料から成る矩形板状の主片５０を備える。主片５０の外周縁には、上向きに突出する側壁５１が主片５０の周方向に沿って一体に形成されている。この側壁５１と主片５０とで囲まれる下向きに窪んだ凹所５２に取付台３が配置されるようになっている。主片５０の中央部には、外部からの電源線（図示せず）を外部から照明器具１へと案内するための円筒状の電源線取付台５３が上下方向に貫通する形で一体に形成されている。また、同じく主片５０の中央部には、アース線等の電源線以外の電線（図示せず）を外部から照明器具１へと案内するための角筒状の電線取付台５４が上下方向に貫通する形で電源線取付台５３と一体に形成されている。
【００２８】
電源線取付台５３には、その上面に左右方向に長尺な長円形状の開口を有して内部に電源線が挿入される１対の電源線挿入部５３Ａが設けられている。また、電線取付台５４には、その上面に円形状の開口を有して内部に電線が挿入される２対の電線挿入部５４Ａが設けられている。これら電源線挿入部５３Ａ及び電線挿入部５４Ａは、図６（ｂ）に示すように、何れもその内壁が上下方向に沿って凹凸が連続する形状に形成されている。また、これら電源線挿入部５３Ａ及び電線挿入部５４Ａの下底部５３Ｂ，５４Ｂは薄膜状に形成されており、電源線や電線を挿入する際に突き破ることができるようになっている。このため、電源線や電線を挿入する際に突き破られた下底部５３Ｂ，５４Ｂが電源線や電線の周囲に纏わりついて密着することで、電源線挿入部５３Ａ及び電線挿入部５４Ａを介して外部から水が内部へと浸入するのを防止することができる。尚、電源線挿入部５３Ａ及び電線挿入部５４Ａの下底部５３Ｂ，５４Ｂと電源線や電線との間に充填材を詰めることで、防水効果を高めてもよい。
【００２９】
主片５０上面における電源線取付台５３及び電線取付台５４を挟んだ左右両側には、それぞれ上向きに突出する円筒形状の筒部５５が一体に形成されている。これら筒部５５には、上下方向に貫通する円形状の通気孔５５Ａがそれぞれ設けられている。これら通気孔５５Ａは、前述のように器具用取付台４の通気孔４０Ｃとそれぞれ対向するように設けられている。主片５０の左右両端部には、それぞれ下向きに突出する円筒状のボス部５０Ｂが一体に形成されている。これらボス部５０Ｂには、それぞれ円形状の水抜き穴５０Ｃが厚み方向に貫通して設けられている。これら水抜き穴５０Ｃは、前述のようにケース２の水抜き穴２４Ｂ、及び取付台３の水抜き穴３０Ａとそれぞれ対向するように設けられている。
【００３０】
主片５０の四隅には、それぞれ取付ねじを挿入するための円形状のねじ挿入孔５０Ｄが厚み方向に貫通して設けられている。これらねじ挿入孔５０Ｄは、前述のようにケース２のねじ挿入孔２４Ｄ、及び取付台３のねじ挿入孔３０Ｃとそれぞれ対向するように設けられている。また、主片５０の左右のボス部５０Ｂの隣には、それぞれ円形状のねじ挿入孔５０Ａが厚み方向に貫通して設けられている。各ねじ挿入孔５０Ａは、前述のように取付台３のねじ挿入孔３０Ｅ、及び器具用取付台４のねじ挿入孔４０Ｂとそれぞれ対向するように設けられている。
【００３１】
主片５０上面には、上向きに突出するとともに電源線取付台５３及び電線取付台５４、及び各筒部５５を囲む矩形枠状の１対のリブ５６Ａが一体に形成されている。また、主片５０上面には、上向きに突出するとともに各ねじ挿入孔５０Ａを囲む環状の３つのリブ５６Ｂがそれぞれ一体に形成されている。更に、主片５０上面には、上向きに突出するとともに、これらリブ５６Ａ，５６Ｂを囲む矩形枠状の１対のリブ５６Ｃが一体に形成されている。このため、仮に主片５０上面に水が浸入して溜まったとしても、電源線取付台５３及び電線取付台５４、並びにねじ挿入孔５０Ａといった部位に水が浸入するのを防止することができる。
【００３２】
側壁５１の下面には、図６（ａ）に示すように、ケース２のフランジ２１の外壁２２を覆うように下向きに突出する第１の周壁５１Ａが主片５０の周方向に沿って一体に形成されている。この第１の周壁５１Ａと主片５０との間には、外壁２２の上端部が嵌め合わされる第１の溝部５１Ｂとなっている。したがって、外壁２２の上端部を第１の溝部５１Ｂに嵌め合わせることで、第１の周壁５１Ａによってケース２内部への水の浸入を防止することができる。主片５０下面における各ボス部５０Ｂの隣には、図６（ａ）に示すように、ケース２のフランジ２１の内壁２３を覆うように下向きに突出する１対の第２の周壁５７Ａ，５７Ｂが主片５０の周方向に沿って一体に形成されている。これら第２の周壁５７Ａ，５７Ｂに挟まれる空間が、内壁２３の上端部が嵌め合わされる第２の溝部５７Ｃとなっている。したがって、内壁２３の上端部を第２の溝部５７Ｃに嵌め合わせることで、第２の周壁５７Ａ，５７Ｂによってケース２内部への水の浸入を防止することができる。
【００３３】
ここで、内側の第２の周壁５７Ｂと主片５０下面とで囲まれる空間には、器具用取付台４がインサート成形によって配置されるようになっている。そして、内側の第２の周壁５７Ｂは、その内側に器具用取付台４の側片４１が当接するようになっている。このため、内側の第２の周壁５７Ｂが剛体から成る器具用取付台４の側片４１によって補強されるので、内側の第２の周壁５７Ｂが屈曲するのを防止することができる。したがって、内側の第２の周壁５７Ｂによる水の浸入を防止する効果を高めることができる。
【００３４】
主片５０下面には、図６（ａ）に示すように、複数の円柱状の第１の突部５０Ｅが下向きに突出する形で一体に形成されている。これら第１の突部５０Ｅは、内側の第２の周壁５７Ｂの内周縁に沿って一定の間隔を空けて設けられるとともに、電源線取付台５３及び電線取付台５４の左右両側にも設けられている。また、主片５０下面における各通気孔５５Ａを挟んだ左右両側には、下向きに突出する四分の一球状の第２の突部５０Ｆがそれぞれ１対ずつ一体に形成されている。また、主片５０下面における内側の第２の周壁５７Ｂに囲まれる部位の四隅には、上向きに窪む半球状の凹部５０Ｇがそれぞれ設けられている。
【００３５】
側壁５１の上面には、図５（ａ）に示すように、上向きに突出する１対の第３の周壁５１Ｄが主片５０の周方向に沿って一体に形成されている。これら第３の周壁５１Ｄは、本実施形態を造営面に取り付ける際に、造営面に押し潰される形で当接するようになっている。このため、造営面と封止部材５との間に隙間が生じないようにすることができ、外部から封止部材５の上面に向かって水が浸入するのを防止することができる。
【００３６】
以下、本実施形態の組立方法について説明する。尚、器具用取付台４は、予め封止部材５にインサート成形されているものとする。先ず、封止部材５の凹所５２に取付台３を配置し、各ねじ挿入孔３０Ｄ，４０Ｂ，５０Ａに組立ねじ６を挿入して締め付けることで、封止部材５を間に挟む形で取付台３と器具用取付台４とを互いに固定する。次に、器具用取付台４の器具用取付ねじ７を用いて、照明器具１を器具用取付台４に取り付ける。そして、照明器具１をケース２の本体部２０内部に挿入し、ケース２のフランジ２１上に封止部材５を載せる。このとき、封止部材５の第１の溝部５１Ｂにフランジ２１の外壁２２を嵌め合わせるとともに、第２の溝部５７Ｃに内壁２３を嵌め合わせる。最後に、各ねじ挿入孔３０Ｃ，２４Ｄ，５０Ｄと、造営面に設けられたねじ挿入孔とに取付ねじを挿入して締め付けることで、本実施形態を造営面に固定する。
【００３７】
上述のように、封止部材５の通気孔５５Ａと、電源線をケース２内部へと案内するための取付台３の第１の窓孔３２Ａとの間に通気路を形成することで、照明器具１に内蔵された電池から放出される水素ガスをケース２の外部に効率良く放出させることができる。特に、本実施形態を屋内の天井や屋外の軒下等に設置した場合には、水素ガスが空気より軽いために上方へと溜まり易いので、上方に設けられた通気孔５５Ａ及び第１の窓孔３２Ａから効果的に水素ガスを排出することができる。また、本実施形態では、第１の窓孔３２Ａのみならず第２の窓孔３２Ｂ及び第３の窓孔３２Ｃを台部３２に設けているので、これらの窓孔３２Ｂ，３２Ｃからも水素ガスを放出させることができる。更に、本実施形態では、取付台３に通気孔３３を設けているので、当該通気孔３３からも水素ガスを放出させることができる。したがって、本実施形態では、第１の窓孔３２Ａのみを設ける場合と比較して、より効率的に水素ガスを放出させることが可能となっている。
【００３８】
ここで、水素ガスをケース２の外部に放出させる構成としては、ケース２の側面に穴を設け、当該穴を多孔質フィルムで閉塞する構成が考えられる。この構成では、多孔質フィルムが水素ガスを透過させ且つ外部からの水分を遮断することで、電池から放出される水素ガスを多孔質フィルムを介してケース２の外部に放出させるとともに防水を図ることができる。しかしながら、この構成では、多孔質フィルムの粘着力が経時劣化するために長時間の利用に適さないという問題がある。更に、多孔質フィルムという特殊な部材を必要とすることから、製造コストが増大するという問題がある。これに対して、本実施形態では、封止部材５及び取付台３にそれぞれ通気孔５５Ａ及び窓孔３２Ａを設けて通気路を形成するだけで、防水を図りつつ水素ガスをケース２の外部に放出させることができる。したがって、多孔質フィルムを必要としないことから、製造コストを削減することができ、また、長時間の利用にも適する。
【００３９】
また、本実施形態では、図１に示すように、上向きに突出する筒体５５を封止部材５の上面に一体に形成するとともに、当該筒体５５に通気孔５５Ａを設けている。このため、仮に封止部材５の上面に水が浸入したとしても、筒体５５によって通気孔５５Ａが覆われているので、通気孔５５Ａを介してケース２内部に水が浸入するのを防止することができる。更に、本実施形態では、図１に示すように、封止部材５において通気孔５５Ａを複数（図示では２つ）設けている。このため、通気孔５５Ａを１つのみ設ける場合と比較して、ケース２内部における空気の対流性を向上させることができ、水素ガスをより効率的にケース２の外部に放出させることができる。
【００４０】
ところで、封止部材５の筒体５５は、その上端部が取付台３の台部３２と対向するようになっており、筒体５５の上端部と台部３２との間に一定の隙間が空くように設計される（図８（ａ）参照）。このため、ケース２の内部から通気孔５５Ａ及び当該隙間を介して水素ガスを封止部材５の上側へ放出させることができるようになっている。しかしながら、設計時のばらつきによっては、筒体５５の上端部と台部３２とが接触してしまい、台部３２の下面によって通気孔５５Ａが閉塞される虞がある。
【００４１】
そこで、本実施形態では、図５（ａ）に示すように、筒体５５の上端部の周方向に沿って複数の溝５５Ｂを設けている。このため、仮に図８（ｂ）に示すように筒体５５の上端部と台部３２とが接触したとしても、溝５５Ｂは台部３２の下面によって閉塞される虞はない。したがって、通気孔５５Ａ及び溝５５Ｂを介して水素ガスを封止部材５の上側へ放出させることができる。
【００４２】
尚、本実施形態では、造営面として屋内であれば天井、屋外であれば軒下等を想定しているが、壁面を造営面として本実施形態を設置してもよい。
【符号の説明】
【００４３】
２  ケース
３  取付台
３２Ａ  第１の窓孔
４  器具用取付台
５  封止部材
５５Ａ  通気孔
【図１】
0005740564.tif 000002
【図２】
0005740564.tif 000003
【図３】
0005740564.tif 000004
【図４】
0005740564.tif 000005
【図５】
0005740564.tif 000006
【図６】
0005740564.tif 000007
【図７】
0005740564.tif 000008
【図８】
0005740564.tif 000009